(57)【特許請求の範囲】
【請求項１】
画像が担持される回転可能な像担持体と、該像担持体の画像をシートに転写する転写手段と、前記像担持体に向けて搬送されたシートを前記像担持体及び転写手段の間のニップへ案内するシート案内体とを備え、前記像担持体をその回転中心に沿う方向へ移動可能としてある画像形成装置において、前記シート案内体は前記シートの一辺に接しつつ該シートを案内する第１案内部、及び該第１案内部が案内したシートを前記ニップへ案内する第２案内部を有し、前記第１案内部と対接して該第１案内部の変形を抑制し、且つ前記シート案内体と像担持体との間の隙間を保ちつつ前記像担持体の移動を案内する移動案内体を備えることを特徴とする画像形成装置。
【請求項２】
画像が担持される像担持体と、該像担持体の画像をシートに転写する転写手段と、前記像担持体に向けて搬送されたシートを前記像担持体及び転写手段の間のニップへ案内する金属板製のシート案内体とを備えた画像形成装置において、前記シート案内体は、前記像担持体に向けて搬送されたシートの搬送方向前側の一辺が当接し、且つ接しつつ該シートを案内する第１案内部、及び該第１案内部が案内したシートを前記ニップへ案内する第２案内部を有し、前記像担持体に向けて搬送されたシートを該シートの前記一辺が第１案内部に当接するように搬送するレジストローラと、前記第１案内部の裏面に接合され該第１案内部の変形を抑制する金属板製の抑制体とを備え、前記第１案内部は前記シートが接する面と反対方向へ突設された凸部を有し、該凸部をかしめることにより前記抑制体を第１案内部の裏面に接合してあることを特徴とする画像形成装置。
【請求項３】
前記シート案内体及び移動案内体は金属板であり、前記第１案内部は前記シートが接する面と反対方向へ突設された凸部を有し、該凸部をかしめることにより前記移動案内体を第１案内部の裏面に接合してある請求項１記載の画像形成装置。
【請求項４】
前記第１案内部は前記シートが接する面と反対方向へ突設された凸片を有している請求項１乃至３のいずれか一つに記載の画像形成装置。
【請求項５】
前記抑制体又は前記移動案内体は前記凸片と向き合う凸片を有している請求項４記載の画像形成装置。
【請求項６】
前記像担持体に担持された画像を現像し、前記シート案内体がシートを案内する方向への移動を可能とした現像器を有しており、前記抑制体又は前記移動案内体は前記現像器の移動を案内する第３案内部を設けてある請求項１又は２記載の画像形成装置。
【請求項７】
前記像担持体が支持された支持体を有し、該支持体又は前記現像器の一方は位置決め凹部を有し、他方は前記第３案内部に沿って前記現像器が移動したとき、前記位置決め凹部と係合して現像器の位置を決める位置決め凸部を有している請求項６記載の画像形成装置。
【発明の詳細な説明】
【０００１】
【発明の属する技術分野】
本発明は電子写真プロセスに基づいて像担持体に担持された画像を紙等のシートに転写する転写手段を備えた画像形成装置に関する。
【０００２】
【従来の技術】
プリンタ等の画像形成装置は、帯状感光体、ドラム状感光体、帯状中間転写体、ドラム状中間転写体等の像担持体と、該像担持体の像担持面に担持されたトナー画像をシートに転写する転写手段としての転写ローラと、前記像担持体に向けて搬送されたシートを前記像担持体及び転写手段の間のニップへ案内するシート案内体とを備えている。また、前記像担持体に担持されたトナー画像は、像担持面の走行とともに送られ、該トナー画像が所定の位置へ到達するタイミングに合わせて前記ニップへシートを挿入し、像担持体と転写ローラとの間の静電圧を利用して、像担持体の像担持面上のトナー画像をシートに転写するように構成されている。
【０００３】
ところで、上述のような画像形成装置にあっては、像担持体の周囲には像担持体を帯電する帯電器、原稿画像に対応する静電潜像を像担持体に担持させるレーザービームスキャナーを有する露光器、像担持体に担持された静電潜像を現像する現像器、現像された像担持体のトナー画像をシートに転写する転写ローラ、像担持体に残留するトナーを除去するクリーニング器、像担持体の帯電を取り除く除電器とが像担持体の回転方向に沿って配置されている。
【０００４】
また、カラー画像形成装置は、ＹＭＣＫの夫々の色に対応した像担持体に形成されたＹＭＣＫの夫々の色のトナー画像を、像担持体である中間転写体に一旦転写して夫々のトナー画像を重ね合わせた後で、中間転写体のトナー画像をシートに転写するように構成されているが、このカラー画像形成装置では、中間転写体の周囲に、前記転写ローラ、除電器、クリーニング器等が配置されている。
【０００５】
ところで、以上の如く構成された画像形成装置にあっては、特開平６−３９７４号公報、特開平６−１６７８９３号公報、特開平８−１１０７１６号公報、特開平１０−１９８１９９号公報等に開示されているように、像担持体へ向けて搬送されるシートは、像担持体寄りの搬送路を通って前記ニップに挿入されなければならない。これは、レジストローラから搬送されてくるシートの後端の跳上りによる転写画像の乱れ、前記ニップに近くて電界の強い箇所で像担持体とシートとの間の空隙をトナーが像担持体からシートに飛翔して生じる画像の飛び散り、像担持体と転写ローラとの回転移動速度の差で生じるシートのループに起因する転写画像不良等の発生を防いで、像担持体に担持されたトナー画像を乱すことなく、該トナー画像をシートに転写させるためである。
【０００６】
上述のように像担持体寄りの搬送経路を通って前記ニップにシートを案内するシート案内体は、像担持体の近傍となる位置に配置する必要がある。しかも、前記像担持体は消耗品であるため、像担持体が着脱可能に装着されている。従って、像担持体と転写ローラとの間のニップにシートを案内するシート案内体の位置精度は非常に高いものが要求される。また、最近では画像形成装置の小型化が進んでおり、この小型化に伴って、像担持体及び像担持体の周囲に配置された画像を形成するための機器も小型化されてきたが、像担持体周囲の機器の小型化に比して像担持体の小型化の方が勝っているため、像担持体の周囲及びニップ部分の周囲には機器が密集することとなり、像担持体の周囲に配置されている前記機器同士が僅少の間隔で配置されことになり、シート案内体も転写ローラと現像器との間の僅かなスペースを利用して配置されることになる。従来では、特開平６−３９７４号公報、特開平６−１６７８９３号公報、特開平８−１１０７１６号公報、特開平１０−１９８１９９号公報等に開示されているように、シートの案内方向に対して厚さが一様な樹脂、金属等の板体によってシート案内体が形成されている。
【０００７】
【発明が解決しようとする課題】
ところで、像担持体の近傍となる位置に配置されるシート案内体は、搬送手段によって搬送されてきたシートの搬送力がシートからシート案内体に加わることになり、さらに、画像形成装置のトラブルによって前記ニップへの入口側で停止したシートを取り除くときの取除き力がシート案内体に加わることになるため、該シート案内体の厚さを比較的厚くし、前記搬送力による変位を抑制するとともに、前記取除き力による変形を抑制し、本来の位置精度を維持することができるように構成する必要がある。
【０００８】
ところが、従来では樹脂、金属等の板体によって形成されるシート案内体の厚さを一様に厚くすることにより対応しているため、シート案内体を像担持体側に寄せて配置することに対して障害になっていた。また、シート案内体の厚さのため、機器の密集したニップの近傍に配置することが困難であった。さらに、シート案内体に曲げ部等を設けると、シートの案内精度が低下するといった問題もあった。
【０００９】
また、シート案内体の厚さを一様に薄くした場合、前記シートの搬送力によってシート案内体が変位し、安定したシートの案内が行えないし、また、前記取除き力によってシート案内体が変形し、像担持体との位置精度が低下して像担持体と接触し、該像担持体を損傷させたり、前記ニップへのシートの案内が不適切となり、転写が良好に行えないことになる。従って、シート案内体の厚さを一様に薄くすることは不可能であった。
【００１０】
本発明は斯かる事情に鑑みてなされたものであり、主たる目的は第１案内部及び第２案内部を有するシート案内体を用い、前記第１案内部の裏面に第１案内部の変形を抑制する抑制体を接合することにより、僅かなスペースを利用してシートを像担持体と転写手段との間のニップに最適な搬送経路で、しかも、安定した状態を維持して送ることができる画像形成装置を提供することにある。
【００１１】
また、他の目的はシート案内体と像担持体との間の隙間を保ちつつ像担持体の移動を案内する移動案内体をシート案内体の第１案内部と対接して設けたことにより、像担持体をその回転中心に沿う方向へ移動させて着脱するとき、該像担持体を良好に保護することができる画像形成装置を提供することにある。
【００１２】
さらに、他の目的はシート案内体と前記抑制体又は移動案内体とを金属板で形成し、シート案内体に凸部を突設し、該凸部をかしめることにより前記抑制体又は移動案内体をシート案内体の裏面に接合したことにより、加工が行い易いシート案内体を有する画像形成装置を提供することにある。
【００１３】
また、他の目的はシート案内体に接合した前記抑制体又は移動案内体に、シート案内体がシートを案内する方向への移動を可能とした現像器の移動を案内する案内部を設けたことにより、現像器を所定の位置へ簡易に組み込むことができる画像形成装置を提供することにある。
【００１４】
【課題を解決するための手段】
第１発明に係る画像形成装置は、画像が担持される回転可能な像担持体と、該像担持体の画像をシートに転写する転写手段と、前記像担持体に向けて搬送されたシートを前記像担持体及び転写手段の間のニップへ案内するシート案内体とを備え、前記像担持体をその回転中心に沿う方向へ移動可能としてある画像形成装置において、前記シート案内体は前記シートの一辺に接しつつ該シートを案内する第１案内部、及び該第１案内部が案内したシートを前記ニップへ案内する第２案内部を有し、前記第１案内部と対接して該第１案内部の変形を抑制し、且つ前記シート案内体と像担持体との間の隙間を保ちつつ前記像担持体の移動を案内する移動案内体を備えることを特徴とする。
【００１５】
第１発明にあっては、シート案内体の第１案内部と対接して設けられた移動案内体が像担持体の移動を案内するため、該像担持体とシート案内体との間の間隔を僅少とし、良好な転写性能が得られるようにしてある場合においても、シート案内体によって傷付けられることなく、像担持体を着脱することができ、この像担持体の着脱作業性を向上することができる。
しかも、シートの一辺に接しつつ該シートを案内する第１案内部と対接した移動案内体が第１案内部の変形を抑制し、該第１案内部を補強することができるため、シートの搬送力によってシート案内体が変位したり、シートの取除き力によってシート案内体が変形したりすることを良好に防ぐことができ、また、第２案内部には前記移動案内体が設けられていないため、該第２案内部の厚さを一様に薄くすることができ、該第２案内部を像担持体に非常に近づけることができる。従って、シート案内体の像担持体との位置精度を良好に維持することができ、像担持体を損傷させたりすることなくシートをニップへ良好に案内することができ、シートへの画像転写を良好に行わせることができる。
【００１６】
第２発明に係る画像形成装置は、画像が担持される像担持体と、該像担持体の画像をシートに転写する転写手段と、前記像担持体に向けて搬送されたシートを前記像担持体及び転写手段の間のニップへ案内する金属板製のシート案内体とを備えた画像形成装置において、前記シート案内体は、前記像担持体に向けて搬送されたシートの搬送方向前側の一辺が当接し、且つ当接しつつ該シートを案内する第１案内部、及び該第１案内部が案内したシートを前記ニップへ案内する第２案内部を有し、前記像担持体に向けて搬送されたシートを該シートの前記一辺が第１案内部に当接するように搬送するレジストローラと、前記第１案内部の裏面に接合され該第１案内部の変形を抑制する金属板製の抑制体とを備え、前記第１案内部は前記シートが接する面と反対方向へ突設された凸部を有し、該凸部をかしめることにより前記抑制体を第１案内部の裏面に接合してあることを特徴とする。
【００１７】
第２発明にあっては、シートの一辺に接しつつ該シートを案内する第１案内部の裏面に接合された抑制体が第１案内部の変形を抑制し、該第１案内部を補強することができるため、シートの搬送力によってシート案内体が変位したり、シートの取除き力によってシート案内体が変形したりすることを良好に防ぐことができ、また、第２案内部には前記抑制体が設けられていないため、該第２案内部の厚さを一様に薄くすることができ、該第２案内部を像担持体に非常に近づけることができる。従って、シート案内体の像担持体との位置精度を良好に維持することができ、像担持体を損傷させたりすることなくシートをニップへ良好に案内することができ、シートへの画像転写を良好に行わせることができる。
しかも、シートが接する面と反対方向へ突設された凸部が抑制体を第１案内部の裏面に接合するため、この接合するための手段に影響されることなく、シートを良好に案内することができるとともに、第１案内部と抑制体とを接合するための接合作業を簡易に行うことができる。
【００２２】
第３発明に係る画像形成装置は、前記シート案内体及び移動案内体は金属板であり、前記第１案内部は前記シートが接する面と反対方向へ突設された凸部を有し、該凸部をかしめることにより前記移動案内体を第１案内部の裏面に接合してあることを特徴とする。
【００２３】
第３発明にあっては、シートが接する面と反対方向へ突設された凸部が移動案内体を第１案内部の裏面に接合するため、この接合するための手段に影響されることなく、シートを良好に案内することができるとともに、第１案内部と移動案内体とを接合するための接合作業を簡易に行うことができる。
しかも、金属板によって第２案内部の厚さをより一層薄くすることができるとともに、第１案内部及び移動案内体の厚さをより一層薄くすることができ、さらに、シート案内体の強度を高めることができるため、薄肉化を図りつつシート案内体の像担持体との位置精度を良好に維持することができ、像担持体を損傷させたりすることなくシートをニップへ良好に案内することができ、シートへの画像転写を良好に行わせることができる。
【００２４】
第４発明に係る画像形成装置は、前記第１案内部は前記シートが接する面と反対方向へ突設された凸片を有していることを特徴とする。
【００２５】
第４発明にあっては、シートが接する面と反対方向へ突設された凸片によって第１案内部を補強することができるため、シート案内体の反り及び組付け時におけるシート案内体の変形を良好に防ぐことができる。
【００２６】
第５発明に係る画像形成装置は、前記抑制体又は前記移動案内体は前記凸片と向き合う凸片を有していることを特徴とする。
第５発明にあっては、シート案内体の反り方向と抑制体又は移動案内体の反り方向とが等しくなるため、接合するための凸部等の加工が容易となる。
【００２７】
第６発明に係る画像形成装置は、前記像担持体に担持された画像を現像し、前記シート案内体がシートを案内する方向への移動を可能とした現像器を有しており、前記抑制体又は前記移動案内体は前記現像器の移動を案内する第３案内部を設けてあることを特徴とする。
【００２８】
第６発明にあっては、シート案内体がシートを案内する方向へ現像器を移動させて該現像器を装着するとき、現像器を第３案内部で案内させつつ移動させることができるため、現像器の位置がずれていたとしても移動案内体に引っ掛かることなく、現像器を所定の位置へスムーズに装着することができる。
【００２９】
第７発明に係る画像形成装置は、前記像担持体が支持された支持体を有し、該支持体又は前記現像器の一方は位置決め凹部を有し、他方は前記第３案内部に沿って前記現像器が移動したとき、前記位置決め凹部と係合して現像器の位置を決める位置決め凸部を有していることを特徴とする。
【００３０】
第７発明にあっては、シート案内体がシートを案内する方向へ現像器を移動させて該現像器を装着するとき、現像器を所定の位置に確実に案内することができる。
【００３１】
【発明の実施の形態】
以下本発明をその実施の形態を示す図面に基づいて詳述する。
図１は本発明に係る画像形成装置の縦断正面図である。
【００３２】
この画像形成装置は、図１に示すように、原稿台１１を有し、該原稿台１１に置かれた原稿の画像を読み取るためのスキャナ部１と、該スキャナ部１の下側に配置され、スキャナ部１によって読み取られた原稿画像に対応したトナー画像を担持する像担持体４及び該像担持体４を支持したフレーム５を有する装置本体２と、該装置本体２の下側に配置され、前記像担持体４に向けてシートＡを供給するシート供給部３とを備えてデジタル複写機である。
【００３３】
スキャナ部１の原稿台１１の上部には、読み取るための原稿を原稿台１１に搬送するための自動原稿送り器１２が開閉可能に設けられている。
【００３４】
スキャナ部１には前記原稿台１１の下面に沿って平行に往復移動する原稿走査体１３と、光学レンズ１４と、光電変換素子であるＣＣＤラインセンサ１５とが設けられている。
【００３５】
原稿走査体１３は第１の走査部１３ａと第２の走査部１３ｂとを有し、前記第１の走査部１３ａは、原稿画像の表面を露光する露光ランプと、原稿からの反射光像を所定の方向に向かって偏向する第１ミラーとを有し、原稿台１１の下面に対して一定の距離を保ちつつ所定の走査速度で平行に往復移動する。
【００３６】
第２の走査部１３ｂは第１の走査部１３ａの第１ミラーにより偏向された原稿からの反射光像をさらに所定の方向に向かって偏向する第２ミラー及び第３ミラーとを有し、第１の走査部１３ａと一定の速度関係を保って平行に往復移動する。
【００３７】
光学レンズ１４は第２の走査部１３ｂの第３ミラー１３ｆにより偏向された原稿からの反射光像を縮小し、ＣＣＤラインセンサ１５上の所定位置に結像させ、この読み取られた画像は、ＣＣＤラインセンサ１５により電気信号に変換され、装置本体２へ送られる。
【００３８】
シート供給部３にはシートＡを積載収容したシートカセット３１と、該シートカセット３１内のシートを１枚ずつ分離して供給する供給ローラ３２とを有し、該供給ローラ３２によって分離供給されたシートＡは搬送ローラ６，６、レジストローラ７，７及びシート案内体８が配置された搬送路Ｂに沿って前記像担持体４へ搬送される。
【００３９】
この像担持体４は支持体４ｂに回転可能に支持された感光ドラム４ａを用いてなり、支持体４ｂによって前記フレーム５に移動可能に装着されている。像担持体４の周辺には、電子写真プロセスのプロセスユニットとして像担持体４を帯電する帯電器、原稿画像に対応する静電潜像を像担持体４に担持させるレーザービームスキャナーを有する露光器、像担持体４に担持された静電潜像を現像する現像器９、現像された像担持体４のトナー画像をシートへ転写する転写手段としての転写ローラ１０、像担持体４に残留するトナーを除去するクリーニング器とが像担持体４の回転方向に沿って配置されている。
【００４０】
これにより、像担持体４の像担持面は前記帯電器により所定の電位に帯電され、帯電された像担持体４は、露光器により原稿画像に対応した光ビームが照射され、該像担持体４の像担持面に静電潜像が形成される。次いで、現像器９によって、前記静電潜像にトナー等の現像剤が付与され、トナー画像が形成される。
【００４１】
このトナー画像は、転写ローラ１０によって前記レジストローラ７，７から搬送されてくるシートＡに転写される。このトナー画像が転写されたシートＡは、像担持体４の像担持面から剥離され、シートの搬送路Ｂに沿って送られ、搬送方向下流の搬送路Ｂに設けられた現像器９に送られ、該現像器９によって、シートに転写されているトナー画像が定着された後、装置本体２の上部に設けられたシート排出部２１のトレイ上へ排出される。また、前記トナー画像が転写された像担持体４の像担持面に残留している残留トナーは、前記クリーニング器により回収される。
【００４２】
図２は像担持体部分の正面図である。
像担持体４は前記フレーム５に設けられたレール状の支持部２２に沿ってその回転中心に沿う方向へ移動可能としてあり、この移動により前記フレーム５に対して着脱することが可能としてある。また、前記現像器９は前記像担持体４の像担持面と接触し、保持体９ｂに回転可能に保持された現像ローラ９ａを用いてなり、保持体９ｂによって前記シート案内体８がシートＡを案内する方向への移動を可能としてあり、この移動により前記フレーム５に対して着脱することが可能としてある。
【００４３】
現像器９を所定位置へ装着するときは、像担持体４の像担持面と離間した状態にあって、フレーム５内の所定の位置までその長手方向に挿入された後、図示しない装着レバーの操作によって像担持体４の方向へ押し上げられる現像器支持機構を介して前記像担持面に対応する所定位置まで上昇させることにより装着されるように構成されている。
【００４４】
図３は転写手段部分の拡大正面図、図４はシート案内体部分の正面図、図５はシート案内体部分の斜視図、図６はシート案内体及び抑制体の斜視図、図７は図６のVII −VII 線の断面図、図８はシート案内体を組付けた状態の斜視図、図９は像担持体が支持された部分を示すもので、(a) は像担持体を装着する過程の側面図、(b) は像担持体を装着した後の側面図、図１０は現像器が装着される過程を示す正面図である。
【００４５】
シート案内体８は前記シート供給部３からレジストローラ７，７を経て搬送されたシートＡを前記像担持体４と転写ローラ１０との間のニップａへ案内するもので、前記シートＡの搬送方向前側の一辺に接しつつ該シートＡを案内する矩形板状の扁平な第１案内部８１と、該第１案内部８１が案内したシートＡを前記ニップａへ案内する矩形板状の扁平な第２案内部８２と、前記第１案内部８１のシート入側端からシートＡが接する面と反対方向へ突設された凸片８３と、前記第１案内部８１の前記シートＡが接する面と反対側である裏面に突設された複数の凸部８４とを有しており、金属板で一体成形されている。
【００４６】
第１案内部８１は前記レジストローラ７，７間のニップｂにおける接線αとのなす角度が鋭角となるように配置されており、また、第２案内部８２は前記シートＡの一辺を前記ニップａに所定の角度で進入させるための角度で折曲げられている。この場合の進入角度は、シートＡの一辺を、前記ニップａの接線β方向と近似する方向へ向かうように設定される。
【００４７】
この進入角度の設定によって、像担持体４に担持されたトナー画像に接触することなく、トナー画像の送り方向とシートＡの搬送方向とをできるだけ同じ方向としてシートＡをニップａへ進入させることができる。
【００４８】
以上の如く構成されたシート案内体８における第１案内部８１の裏面には第１案内部８１の変形を抑制する抑制体２３が一体的に接合されており、この抑制体２３を介してシート案内体８が、前記レジストローラ７，７を保持した保持体２４に着脱可能に取付けられている。
【００４９】
抑制体２３は前記凸部８４に対応する複数の嵌合孔２３ａが穿設された矩形板状の金属板で形成されており、抑制体２３の嵌合孔２３ａに前記凸部８４を嵌合し、該凸部８４の先端をかしめることにより抑制体２３を第１案内部８１の裏面に接合してある。また、抑制体２３の長手方向一端部には長孔状の嵌合孔２３ｂが穿設されており、他端部にはその長手方向へ離間する複数のねじ挿通孔２３ｃが穿設されている。
【００５０】
また、抑制体２３が取付けられる前記保持体２４には、前記抑制体２３の両端部が挿入される第１凹部２４ａ、第２凹部２４ｂと、第１凹部２４ａに突設された位置決め凸部２４ｃと、第２凹部２４ｂに穿孔されたねじ孔とが設けられており、抑制体２３の両端部を第１凹部２４ａ、第２凹部２４ｂに挿入するとともに、嵌合孔２３ｂを位置決め凸部２４ｃに嵌合し、ねじ挿通孔２３ｃからねじ孔におねじ２５を緊締することにより抑制体２３を介してシート案内体８をレジストローラ７，７の保持体２４に取付けてある。
【００５１】
抑制体２３の前記第２案内部８２側端には第２案内部８２と反対の方向へ傾斜し、前記現像器９の装着方向への移動を案内する第３案内部２６と、該第３案内部２６の先端から前記第２案内部８２へ向けて延出され、前記像担持体４の移動を案内する扁平な移動案内体２７とが一体成形されており、また、抑制体２３の第３案内部２６と反対側端には前記凸片８３と向き合う凸片２３ｄが一体成形されている。
【００５２】
移動案内体２７はその長手方向両端部に位置決め凹部２７ａ，２７ａを有しており、像担持ドラム４ａが支持体４ｂに支持されている前記像担持体４をフレーム５内に装着するとき、前記支持体４ｂの両端脚部の一方が移動案内体２７と係合し、この係合状態で像担持体４の移動を案内する。この案内に伴い、像担持体４が装着完了位置へ移動したとき、前記支持体４ｂの両端脚部が前記位置決め凹部２７ａ，２７ａと係合し、像担持体４の移動を制限するようにしてある。このとき、前記支持体４ｂが前記フレーム５のレール状の支持部２２で支持される。
【００５３】
移動案内体２７の先端と前記第２案内部８２の裏面との間には空間が設けられており、この空間によって、抑制体２３を加工するとき、前記凸片２３ｄ及び移動案内体２７間の高さ寸法ｈを規定することで、その他の寸法に誤差が生じたとしても影響をなくすることができ、しかも、移動案内体２７が第２案内部８２の裏面に当接していないため、第２案内部８２の第１案内部８１に対する角度を変えてしまうといった問題も生じない。
【００５４】
また、移動案内体２７は前記第１案内部８１及び第２案内部８２間の折曲部８ａよりも第２案内部８２の先端側（像担持体４側）となるようにしてある。これによって、抑制体２３の前記高さ寸法ｈにシビアな精度を必要とすることなく、像担持体４の近傍部に移動案内体２７が接しないので、シート案内体８の配置精度を向上することができ、安定したシート搬送を行うことができる。
【００５５】
第３案内部２６は、現像ローラ９ａが支持されている前記現像器９をフレーム５内に装着するとき、前記保持体９ｂの一側９ｄが当接可能としてあり、この当接により現像器９の位置を修正し、該現像器９を第３案内部２６に沿って装着完了位置へスムーズに移動させることができるようにしてある。
【００５６】
保持体９ｂには前記支持体４ｂに当接する当接面９ｅを有しており、該当接面９ｅに位置決め凸部９１が突設されており、また、この位置決め凸部９１に対応する位置決め凹部４１が前記支持体４ｂに設けられており、保持体９ｂに保持された現像器９が第３案内部２６に沿って装着完了位置へ移動したとき、位置決め凸部９１が位置決め凹部４１と係合し、保持体９ｂを介して現像器９の移動を制限するようにしてある。
尚、図３、図５において、２８は前記シート案内体８と前記転写ローラ１０との間に配置された補助板であり、前記シート案内体８の第２案内部８２が転写ローラ１０に接触することを確実に防ぐようにしてある。
【００５７】
以上の如く構成された画像形成装置において、シート案内体８は前記レジストローラ７，７が保持された保持体２４を介して前記フレーム５内に組付けられる。このシート案内体８の第１案内部８１には抑制体２３が接合されており、該抑制体２３が第１案内部８１の変形を抑制し、第１案内部８１を補強しているため、シートＡの搬送力によってシート案内体８が変位したり、シートＡの取除き力によってシート案内体８が変形したりすることを良好に防ぐことができ、しかも、第２案内部８２の厚さを一様に薄くすることができ、該第２案内部８２を像担持体４に非常に近づけることができるとともに、シート案内体８の配置精度を向上することができる。また、第２案内部８２のシート案内方向への長さがさほど必要でないため、単に、シート案内体８をシート案内方向の中間で折り曲げた場合に比してシート案内体８のシート搬送方向先端部の位置精度を高精度にできるとともに、強度的にも高くでき、シートＡの搬送力及びシートＡの取除き力によって第２案内部８２が像担持体４と接触することを良好に防止できる。従って、像担持体４を損傷させたりすることなくシートＡをニップａへ良好に案内することができ、シートＡへの画像転写を良好に行わせることができる。
【００５８】
また、シート案内体８に接合した抑制体２３には像担持体４の移動を案内する移動案内体２７が一体に設けられているため、像担持体４を装着するとき、該像担持体４をシート案内体８及び抑制体２３と接触させることなく所定の装着完了位置へスムーズに装着することができ、像担持体４の組付け作業性を向上できるとともに、像担持体４のシート案内体８及び抑制体２３による損傷を良好に防ぐことができる。
【００５９】
さらに、抑制体２３には現像器９の移動を案内する第３案内部２６が設けられているため、現像器９を装着するとき、現像器９の位置がずれていたとしても移動案内体２７に引っ掛かることなく、現像器９を所定の装着完了位置へスムーズに装着することができる。
【００６０】
また、第１案内部８１に設けらた凸片８３によってシート案内体８の長手方向の反りを防ぐことができ、安定した形成を保持することができるため、シート案内体８はその厚さを薄く形成したとしても十分な強度を維持することができ、シート案内体８を前記ニップａの近くに配置することができるとともに、転写ローラ１０と現像器９との間の僅かなスペースに配置することができる。
【００６１】
また、シート案内体８に接合された抑制体２３の長手方向一端部に穿孔された嵌合孔２３ｂを保持体２４の位置決め凸部２４ｃに嵌合し、他端部のねじ挿通孔２３ｃへ挿入されたおねじ２５を保持体２４のねじ孔に緊締することによりシート案内体８を組付けることができるため、このシート案内体８の組付け作業性を向上することができる。
【００６２】
尚、以上説明した実施の形態では、抑制体２３に移動案内体２７及び第３案内部２６を設けたが、その他、移動案内体２７及び第３案内部２６をなくしてもよいし、また、第３案内部２６を有する抑制体２３を第１案内部８１に接合し、移動案内体２７を別個に形成し、該移動案内体２７を前記シート案内体８の近傍となる位置に設けてもよい。また、シート案内体８と別個に形成された移動案内体２７に前記第３案内部２６を設けてもよい。また、シート案内体８と別個に形成された移動案内体２７には、前記第１案内部８１の裏面に接合される接合部を設け、該接合部を前記したかしめ等の接合手段によって一体的に接合してもよい。
【００６３】
また、以上説明した実施の形態のシート案内体８、抑制体２３は金属板で形成されているが、その他、合成樹脂板であってもよい。
【００６４】
【発明の効果】
以上詳述した如く第１発明によれば、シート案内体の第１案内部と対接して設けられた移動案内体が第１案内部の変形を抑制し、該第１案内部を補強することができるため、第２案内部の厚さを一様に薄くすることができ、該第２案内部を像担持体に非常に近づけることができるとともに、シート案内体の像担持体との位置精度を良好に維持することができ、像担持体を損傷させたりすることなくシートをニップへ良好に案内することができ、シートへの画像転写を良好に行わせることができる。
しかも、移動案内体が像担持体の移動を案内するため、該像担持体とシート案内体との間の間隔を僅少とし、良好な転写性能が得られるようにしてある場合においても、シート案内体によって傷付けられることなく、像担持体を着脱することができ、この像担持体の着脱作業性を向上することができる。
【００６５】
第２発明によれば、抑制体が第１案内部の変形を抑制し、該第１案内部を補強することができるため、第２案内部の厚さを一様に薄くすることができ、該第２案内部を像担持体に非常に近づけることができるとともに、シート案内体の像担持体との位置精度を良好に維持することができ、像担持体を損傷させたりすることなくシートをニップへ良好に案内することができ、シートへの画像転写を良好に行わせることができる。
しかも、抑制体を第１案内部の裏面に接合するための手段に影響されることなく、シートを良好に案内することができるとともに、第１案内部と抑制体とを接合するための接合作業を簡易に行うことができる。
【００６７】
第３発明によれば、移動案内体を第１案内部の裏面に接合するための手段に影響されることなく、シートを良好に案内することができるとともに、第１案内部と移動案内体とを接合するための接合作業を簡易に行うことができる。
しかも、薄肉化を図りつつシート案内体の像担持体との位置精度を良好に維持することができ、像担持体を損傷させたりすることなくシートをニップへ良好に案内することができ、シートへの画像転写を良好に行わせることができる。
【００６８】
第４発明によれば、シートが接する面と反対方向へ突設された凸片によって第１案内部を補強することができるため、シート案内体の反り及び組付け時におけるシート案内体の変形を良好に防ぐことができる。
【００６９】
第５発明によれば、シート案内体の反り方向と抑制体又は移動案内体の反り方向とが等しくなるため、接合するための凸部等の加工が容易となる。
【００７０】
第６発明によれば、シート案内体がシートを案内する方向へ現像器を移動させて該現像器を装着するとき、現像器を第３案内部で案内させつつ移動させることができるため、現像器の位置がずれていたとしても移動案内体に引っ掛かることなく、現像器を所定の位置へスムーズに装着することができる。
【００７１】
第７発明によれば、シート案内体がシートを案内する方向へ現像器を移動させて該現像器を装着するとき、現像器を所定の位置に確実に案内することができる。
【図面の簡単な説明】
【図１】本発明に係る画像形成装置の縦断正面図である。
【図２】本発明に係る画像形成装置の像担持体部分の正面図である。
【図３】本発明に係る画像形成装置の転写手段部分の拡大正面図である。
【図４】本発明に係る画像形成装置のシート案内体部分の正面図である。
【図５】本発明に係る画像形成装置のシート案内体部分の斜視図である。
【図６】本発明に係る画像形成装置のシート案内体及び抑制体の斜視図である。
【図７】図６のVII −VII 線の断面図である。
【図８】本発明に係る画像形成装置のシート案内体を組付けた状態の斜視図である。
【図９】本発明に係る画像形成装置の像担持体が支持された部分を示すもので、(a) は像担持体を装着する過程の側面図、(b) は像担持体を装着した後の側面図である。
【図１０】本発明に係る画像形成装置の現像器が装着される過程を示す正面図である。
【符号の説明】
４    像担持体
４ｂ  支持体
４１  位置決め凹部
８    シート案内体
８１  第１案内部
８２  第２案内部
８３  凸片
８４  凸部
９    現像器
９１  位置決め凸部
１０  転写ローラ（転写手段）
２３  抑制体
２６  第３案内部
２７  移動案内体
ａ    ニップ
【図１】
0003770803.tif 000002
【図２】
0003770803.tif 000003
【図３】
0003770803.tif 000004
【図４】
0003770803.tif 000005
【図５】
0003770803.tif 000006
【図６】
0003770803.tif 000007
【図７】
0003770803.tif 000008
【図８】
0003770803.tif 000009
【図９】
0003770803.tif 000010
【図１０】
0003770803.tif 000011